(57)【特許請求の範囲】
【請求項１】
上面に標章が形成された第１レンズと、
前記レンズの裏面に配置され、ライン部が形成された第２レンズと、
前記第２レンズの裏面に配置され、光を拡散する導光レンズと、
前記導光レンズの裏面に配置され発光源を備えた基板と、
前記基板に設けられた散点状の第１発光源と、
前記基板の端部に設けられ前記第２レンズの端部から光を供給する第２発光源と、を備えた遊技機の発光装置。
【発明の詳細な説明】
【技術分野】
【０００１】
本発明は、パチンコ遊技機等の表示を行う遊技機の発光装置に関する。
【背景技術】
【０００２】
上記従来の遊技機の発光装置は、面発光させるためには、発光体と、反射体等と、拡散シートを用い、反射体に文字部が形成されるか（特許文献１）、あるいは、拡散シートに印刷が施された（特許文献２、３、４）積層構造体が提案されている。
【０００３】
また、発光体と、光の広がりを確保する所要のスペースを隔ててこの発光体を覆うように配置される拡散シートと、拡散シートを覆う被覆体と、を備え、拡散シート或いは被覆体に文字部等を形成した装飾発光装置（特許文献５、６）がある。
【０００４】
上述の通り、拡散シートと、その他、複数の部材との組み合わせによって、光が拡散されて面発光が可能となる。
【０００５】
【特許文献１】特開平９−２２２５９号公報
【特許文献２】特開平９−１５２８４１号公報
【特許文献３】特開２００５−１１１２５０号公報
【特許文献４】特開２００９−８２４０１号公報
【特許文献５】特開２００１−１３７４２２号公報
【特許文献６】特開２００８−２２８７６１号公報
【発明の開示】
【発明が解決しようとする課題】
【０００６】
しかしながら、上記の面発光装置は、表示をくっきりとさせるため、文字部又はライン部のいずれかで発光させている。そのため、文字部及びライン部の組み合わせの発光体の場合、文字部とライン部の区別が見難くなり、演出の興趣性が低くなる。そこで、本発明は、文字部及びライン部の組み合わせにおける発光演出の趣向性を高めることを課題とする。
【課題を解決するための手段】
【０００７】
本発明は、上面に標章が形成された第１レンズと、前記レンズの裏面に配置され、ライン部が形成された第２レンズと、前記第２レンズの裏面に配置され、光を拡散する導光レンズと、前記導光レンズの裏面に配置され発光源を備えた基板と、を備えたことを特徴とする遊技機の発光装置である。第１レンズと、第２レンズと、導光レンズとが積層構造とされることが好ましい。
【０００８】
ここでいう標章とは、文字部、図形、記号若しくは立体的形状若しくはこれらの結合又はこれらと色彩との結合である。
【００１１】
前記基板に設けられた散点状の第１発光源と、前記基板の端部に設けられ前記第２レンズの端部から光を供給する第２発光源と、を備えることが好ましい。
【００１２】
前記第１レンズ、第２レンズ、導光レンズの材質としてはプラスチックが好ましく、例えば、ＡＢＳ樹脂、ポリカーボネート、アクリル樹脂等が好ましい。
【００１３】
導光レンズは第１発光源からの光を拡散するため、表面に凹凸があるものが好ましい。この凹凸は放射状の同心円形状の凹凸が挙げられる。
【発明の効果】
【００１４】
文字部とライン部の区別が見易くなり、遊技者の注意を惹き付けやすく演出の興趣性が高くなる。
【００１７】
基板に設けられた散点状の第１発光源と、基板の端部に設けられ第２レンズの端部から光を供給する第２発光源と、を備えるので、第１発光源による標章の発光表示と、第２発光源によるライン部の発光表示を明確に区別して行うことができる。
【図面の簡単な説明】
【００１８】
【図１】本発明実施形態を示す遊技機の発光装置１の分解斜視図である。
【図２】（ａ）は発光装置１の平面図、（ｂ）は同じく底面図である。
【図３】図２（ａ）のA-A断面図である。
【図４】図２（ａ）のC-C断面図と一部部分拡大図である。
【図５】発光装置１の導光レンズの斜視図である。
【発明を実施するための形態】
【００１９】
以下、本発明の実施の形態に係る遊技機の発光装置１（以下、単に発光装置１という。）について図１〜図５を参照して説明する。この発光装置１は、上面に文字部２が形成された第１レンズ３と、第１レンズ３の裏面に配置され、ライン部４が形成された第２レンズ５と、第２レンズ５の裏面に配置され、光を拡散する導光レンズ６と、導光レンズ６の裏面に配置され第１発光源７と第２発光源８を備えた基板９と、を備えたことを特徴とする。発光装置１は、第１レンズ３と、第２レンズ５と、導光レンズ６の積層構造となっている。以下、各部を詳細に説明する。
【００２０】
図２（ａ）に示す通り、文字部２は「NAITO  NAITO  NAITO」とプラスチックで第１レンズ３の主面から突出する凸部に形成され、刻印のような外観を呈している。これにより文字の立体感を出すことができる。
【００２１】
図１、図４、図５に示す通り、第１レンズ３は薄い平板状で横長の透明なプラスチック成型体である。第１レンズ３は縦方向で横長方向に配置される。
【００２２】
ライン部４は薄い平板状の透明なプラスチック成型体である、複数本が平行に配置されている。このライン部４の中央領域は平行であり、端部は弧状に曲がっており、導光入口端面はライン部４と平行である。ライン部４の裏面は凹凸が形成されて、光の演出性を高めている。
【００２３】
第２レンズ５は薄い平板状の透明なプラスチック成型体である。第２レンズ５は複数本の平行で所定間隔４ａを置いたライン部４が連結部５１により連結し一体成形されたもので、両端部に光入口部５２を備えている。光入口部５２から光が入り、屈折し、中央領域に横方向に進行するようになっている。
【００２４】
導光レンズ６は平板状の透明なプラスチック成型体である。導光レンズ６は、図５に示す通り、第１発光源７に対応する位置に形成された光受光部６１と、光受光部６１の周囲に形成され、凹凸により形成される光拡散部６２を備えている。光受光部６１は、図４、図５に示す通り、表面側に形成された凹部である。光拡散部６２の凹凸は図示する通り、一様のパターンで形成されてもよいし、ランダムでもよい。これにより、光受光部６１に入射した光は、周辺に存在する光拡散部６２により拡散される。これにより光の拡散性を高めている。
【００２５】
なお、光拡散部６２が光受光部６１の周囲に放射状に同心円状の凹凸を形成したものでもよく、形状又は構造は任意である。放射状の設計の場合、ダイヤカットなど、いろいろなカットを半径方向に設け、円のライン部がぼかすことで、見た目があからさまにならないようにすることもある。
【００２６】
第１発光源７は基板９の表面に左右方向に散点状に配置された複数個のＬＥＤである。
【００２７】
第２発光源８は基板９の左右端部にそれぞれ配置され、縦方向に配置された複数個のＬＥＤである。ここでは、第２発光源８の発光色は第１発光源７の発光色とは相違するものである。
【００２８】
図１、図３、図４、図５に示す通り、基板９は横長形状であり、遊技機の主基板（図示略）からのコマンド信号を受信し、このコマンド信号に従って、第１発光源７、第２発光源８の発光制御を司るものである。
【００２９】
第１レンズ３と第２レンズ５の裏面にそれぞれ、光の漏れ防止用のシート１３，１５を配置している。ここではシート１３，１５はプラスチック製のシート状の薄板である。シート１３は、文字部２と同一形状の半透明で第１発光源７と同一色に着色された文字部２３、及び、ライン部４と同一形状のライン部貫通孔２４ａを設けたライン板２４ｂとが形成されたものである。文字部２３はライン板２４ｂと連結されている。ライン部貫通孔２４ａから光が進み、ライン部４の間隔の部分からの光の直進はライン板２４ｂにより阻止される。
【００３０】
シート１５は文字部２、文字部２３と同一形状の文字部貫通孔２５が形成されたものである。このシート１５の文字部貫通孔２５以外の領域は黒色であり、光の通過を阻止する。文字部２からの発光を強調するため、この文字部貫通孔２５から光が前方に放射されるようになっている。
【００３１】
発光装置１は、第１レンズ３、第２レンズ５、導光レンズ６、及び、基板９を収容する容器１０を備えている。容器１０には端部溝１０ａと凸部１０ｂが設けてある。この凸部１０ｂに対応して、第１レンズ３、導光レンズ６、基板９、シート１３、シート１５には、それぞれ、嵌め合いのための凹部３ａ、６ａ、９ａ、１３ａ、１５ａが設けてある。蓋１２には対応するネジ穴１２ａが設けられる。また、第２レンズ５の端部を容器１０の端部溝１０ａに固定する固定具１１を備える。この固定具１１は、複数の貫通孔１１ａと凸部１１ｂを備え、貫通孔１１ａにライン部４の端部が嵌合し、凸部１１ｂが端部溝１０ａに嵌合する。さらに、容器１０の裏面に裏蓋１２を設け、裏蓋１２には視認孔１２ｂが設けてある。
【００３２】
基板９には、散点状の第１発光源７と、基板９の端部に設けられ第２レンズ５の端部から光を供給する第２発光源８と、CPU、ROM、RAMなどの電子部品が装着されている。不正防止のためＣＰＵ・ＲＯＭ・ＲＡＭを一体化したチップが採用されている。
【００３３】
第１レンズ３、第２レンズ５、導光レンズ６の材質としてはプラスチックであり、ＡＢＳ樹脂、ポリカーボネート、アクリル樹脂等が採択できる。
【００３４】
発光装置１は、第１レンズ３と、第２レンズ５と、導光レンズ６、基板９、シート１３、及び、シート１５の積層構造となっている。なお、第２レンズ５、導光レンズ６、基板９、裏蓋１２、シート１３、シート１５の形状は、第１レンズ３と同様に、横長四角形である。導光レンズ６、シート１５の横幅は第２レンズ５の横幅よりも短く設定されており、第２発光源８からの光が第２レンズ５の光入口部５２に入ることができるようになっている。
【００３５】
次に発光装置１の動作を説明する。まず、第１発光源７からの光は光受光部６１で受光され、レンズの作用で光拡散部に拡散される。拡散された光は文字部貫通孔２５と第２レンズ５と文字部２３、文字部２を通過する。
【００３６】
一方、第２発光源８からの光は、ライン部４の両端部にある光入口部５２から入光し、屈折しながら進行方向を内側に変更され、ライン部４の中央領域に横方向に進行し、中央部で交わる。こうしたライン状の光は、ライン部貫通孔２４ａを通過し、第１レンズ３に入射する。
【００３７】
以上の発光装置１によれば、第１レンズ３、第２レンズ５の２枚構成によって、文字部２とライン部４で光をわけて交差させ、文字部発光とライン部発光とを明確に区別する態様で光を屈折・反射させることができる。そのため、遊技者はくっきりとした文字とラインによって一目で注意を惹きつけられ、演出の趣向性を高めることができる。
【００３８】
たとえば、本実施形態は、遊技機の遊技盤に取り付けられた装置に適用することもできるが限定されるわけではない。第１レンズ３、第２レンズ５はそれぞれ１個を使用したが、個数は２個以上でもよい。第１発光源７、第２発光源８はそれぞれ１つを使用したが、その数は２以上でもよい。発光装置１の使用位置は遊技盤面に限らず、枠その他、種々の態様で遊技機に取り付けることができる。また、実施形態の各種構成要素の形状、構造は種々なる態様で実施可能である。
【符号の説明】
【００３９】
１・・・遊技機の発光装置
２、２３・・・文字部
３・・・第１レンズ
４・・・ライン部
４ａ・・・所定間隔
５・・・第２レンズ
６・・・導光レンズ
７・・・第１発光源
８・・・第２発光源
９・・・基板
１０・・・容器
１０ａ・・・端部溝
１０ｂ・・・凸部
３ａ、６ａ、９ａ、１３ａ、１５ａ・・・凹部
１１・・・固定具
１１ａ・・・貫通孔
１１ｂ・・・凸部
１２・・・裏蓋
１２ａ・・・ネジ穴
１２ｂ・・・視認孔
１３，１５・・・シート
２４ａ・・・ライン部貫通孔
２４ｂ・・・ライン板
２５・・・文字部貫通孔
５１・・・連結部
５２・・・光入口部
６１・・・光受光部
６２・・・光拡散部
【図１】
0006322879.tif 000002
【図２】
0006322879.tif 000003
【図３】
0006322879.tif 000004
【図４】
0006322879.tif 000005
【図５】
0006322879.tif 000006